(57)【要約】      （修正有）【課題】背凭れと背中の間にクッション材を宛がわなくても腰の近辺を支持することができ、背凭れの傾倒角度を調節するとそれにつれて支持の強度や強さが自動的に変化して適度の強さで支持できるようにする。【解決手段】電動で後方に傾倒し、前方に起立する背凭れを備えたリクライニング式着座具において、押し具６を背凭れフレーム７に回動可能に設け、押し具６の背後に支持具２０を設け、押し具６は背凭れが前方に起立するにつれて支持具２０により背凭れクッション側に押し出されて背凭れクッションを前方に押し出し、背凭れが後方に傾倒するにつれて支持具２０から離れて自重で下向きに回動して背凭れクッション側から離れて次第に背凭れクッションの押し出しを低減し解放するようにした。【選択図】図１
2012143357.tif 000002
【特許請求の範囲】
【請求項１】
少なくとも座と背凭れを備え、電動で後方に傾倒し、前方に起立する背凭れを備えたリクライニング式着座具において、背凭れクッションの背面側にそのクッションを前方に押し出す押し具が設けられ、押し具は背凭れが起立するにつれて背凭れクッションに接近して背凭れクッションを前方に押し出し、背凭れが後方に傾倒するにつれて前記背凭れクッション側から離れて背凭れクッションの押し出しを低減し解放するようにしたことを特徴とするリクライニング式着座具。
【請求項２】
請求項１記載のリクライニング式着座具において、押し具が背凭れフレームに回動可能に設けられ、押し具の背後に支持具が設けられ、押し具は背凭れが前方に起立するにつれて支持具により背凭れクッション側に押し出されて背凭れクッションを前方に押し出し、背凭れが後方に傾倒するにつれて支持具から離れて自重で下向きに回動して背凭れクッション側から離れて次第に背凭れクッションの押し出しを低減し解放することを特徴とするリクライニング式着座具。
【請求項３】
請求項１又は請求項２記載のリクライニング式着座具において、押し具を定形のもの又は可撓性のあるもの又は復元性のあるものとしたことを特徴とするリクライニング式着座具。
【請求項４】
請求項１乃至請求項３のいずれか１項に記載のリクライニング式着座具において、背凭れクッション内、又は背凭れクッションとその前面に配置された前面クッションとの間、又は背凭れクッションと押し具の間に、補助パッドを出し入れ可能な収容部を設けたことを特徴とするリクライニング式着座具。
【発明の詳細な説明】
【技術分野】
【０００１】
本願発明は、ソファ、椅子、ベッドといった着座具に関し、特に、背凭れを後方に傾ける（倒す）ことのできるリクライニング式着座具に関する。
【背景技術】
【０００２】
背凭れを電動式で後方に倒したり前方に起こしたりすることができるリクライニング式ソファが知られている（特許文献１）。背凭れのリクライニングに伴って、座が前後にスライドし、フットレストが前進、後退するソファもある。
【０００３】
リクライニング式ソファは、背凭れの角度、座の位置、フットレストの位置や高さ等を着座する人（使用者）の体形や好みに合わせて調節できるため、座り心地がよく、使用者に無理な姿勢を強いることがなく、快適な座り心地が得られ、腰痛の人が着座するのにも適する。
【先行技術文献】
【特許文献】
【０００４】
【特許文献１】特開２００２−１７５１４号公報
【発明の概要】
【発明が解決しようとする課題】
【０００５】
前記特許文献１記載のリクライニング式ソファは、背凭れのクッションの前面（背中に当たる面）が平坦であるため、背中を凭れかけるとクッションと腰の間に隙間ができて腰が背凭れで支持されず、使用者の上半身の体重が腰に掛かり、腰に負担が掛かり、長時間着座していると腰の辺りが疲れることがある。
【０００６】
楽な姿勢で着座でき、腰への負担を軽くするために、腰と背凭れの間にクッション材を宛がうこともあるが、クッション材を宛がったり外したりするのが面倒であった。また、クッション材が使用中に位置ずれして座り心地が悪くなるとか、背凭れの傾倒角度を変えると、それに合わせてクッション材の位置や高さを変えなければならないという面倒もあった。
【０００７】
本願発明の解決課題は、背凭れと背中の間にクッション材を宛がわなくても腰の近辺を支持することができ、背凭れの傾倒角度を調節するとそれにつれて支持の強度が自動的に変化して適度の強さで支持できるようにしたリクライニング式のソファ、椅子、ベッド（以下、これらを総称して「着座具」という）を提供することにある。
【課題を解決するための手段】
【０００８】
本願発明のリクライニング式着座具は、少なくとも座と背凭れを備え、電動で後方に傾倒し、前方に起立する背凭れを備えたリクライニング式着座具において、背凭れクッションの背面側にそのクッションを前方に押し出す押し具が設けられ、押し具は背凭れが起立するにつれて背凭れクッションに接近して背凭れクッションを前方に押し出し、背凭れが後方に傾倒するにつれて前記背凭れクッション側から離れて背凭れクッションの押し出しを低減し解放するようにしたものである。
【０００９】
本願発明のリクライニング式着座具は、前記リクライニング式着座具において、押し具が背凭れフレームに回動可能に設けられ、押し具の背後に支持具が設けられ、押し具は背凭れが前方に起立するにつれて支持具により背凭れクッション側に押し出されて背凭れクッションを前方に押し出し、背凭れが後方に傾倒するにつれて支持具から離れて自重で下向きに回動して背凭れクッション側から離れて次第に背凭れクッションの押し出しを低減し解放するようにすることができる。
【００１０】
本願発明のリクライニング式着座具は、前記リクライニング式着座具において、押し具を定形のもの又は可撓性のあるもの又は復元性のあるものとすることができる。
【００１１】
本願発明のリクライニング式着座具は、前記リクライニング式着座具において、背凭れクッション内、又は背凭れクッションとその前面に配置された前面クッションとの間、又は背凭れクッションと押し具の間に、補助パッドを出し入れ可能な収容部を設けることもできる。
【発明の効果】
【００１２】
本願発明のリクライニング式着座具は次のような効果がある。
（１）押し具が背凭れの起立時に背凭れクッション側に接近して背凭れクッションを前に押し出すので、背凭れを起こしたときの押し具の位置を例えば腰又はその付近に当たる位置に設定しておけば、押し具で押し出される背凭れクッションが使用者の腰付近に押し当たるので、腰椎付近の負担が軽くなり、背凭れ起立時の着座が楽になる。
（２）押し具による背凭れクッションの押し出しが、背凭れが後方に傾倒するにつれて低減するため、背凭れの傾倒角度に応じて押し具による押しが自動的に調節されて背中が程良い強さで押される。また、背凭れの傾倒が進んで押し具による押しが解放されると、背中や腰が無理に押されることがないため、自然な姿勢で背凭れに凭れることができる。
（３）押し具が可撓性や復元性のあるものの場合は、使用者の体型や体重に応じて変形して、押し出し強度が自動調節され、背中や腰に無理な力（押し）が掛らず楽である。
（４）背凭れクッションの内部、又は背凭れクッションとその前面に設けた前面クッションとの間、又は背凭れクッションと押し具の間に、補助パッドを収容可能な収容部を設ければ、収容部に補助パッドを入れることにより背中や腰を押す強さや硬さ等を調節することができ、快適な座り心地を確保することができる。
【図面の簡単な説明】
【００１３】
【図１】本願発明のソファの一例を示すもので、背凭れが起立した状態の背凭れフレーム部分の概略説明図。
【図２】図１の状態の背凭れフレームの一部を切除した状態の概略説明図。
【図３】背凭れフレームを図１の状態から後方に傾倒させた状態の概略説明図。
【図４】図１の状態における背凭れフレームと押し具と支持具の関係を示す側面説明図。
【図５】背凭れフレームを図１の状態から後方に傾倒させた状態における背凭れフレームと押し具と支持具の関係を示す側面説明図。
【図６】背凭れフレームを図５の状態から更に後方に傾倒させた状態における背凭れフレームと押し具と支持具の関係を示す側面説明図。
【図７】（ａ）は本願発明のソファの一例を示すもので、背凭れ起立時の背凭れソファの一部を切断した状態の側面図、（ｂ）は（ａ）の起立時の押し具の先端部と受け具との距離の説明図。
【図８】（ａ）は背凭れソファを図７の状態から後方に傾倒させた場合の側面図、（ｂ）は（ａ）の傾倒時の押し具の先端部と受け具との距離の説明図。
【図９】（ａ）は背凭れソファを図８の状態から更に後方に傾倒させた場合の側面図、（ｂ）は（ａ）の傾倒時の押し具の先端部と受け具との距離の説明図。
【図１０】本願発明のソファにおいて、収容部に補助パッドを入れる場合の一部切断側面図。
【図１１】本願発明のソファの他例を示すもので、コイルスプリングを数本まとめて押し具とした場合の説明図。
【図１２】本願発明のソファの他例を示すもので、押し具に波型スプリングを使用した場合の説明図。
【発明を実施するための形態】
【００１４】
（実施形態）
本願発明のリクライニング式着座具は、リクライニング式であればソファ以外のもの（椅子、ベッド等）も含み、ソファの場合も一人掛け、二人掛け、三人掛けといった各種形態のソファを含むが、以下に説明する実施形態は一人掛けのリクライニング式ソファの場合である。
【００１５】
本願発明のリクライニング式ソファは図７（ａ）〜図９（ａ）に示すように座１と、座１の両側面に設けられた肘掛け２と、座１の後方に設けられた背凭れ３と、座１の前方に設けられたフットレスト４と、背凭れ３のクッション（背凭れクッション）５をその前方に押し出す押し具６を備えている。
【００１６】
前記座１は使用者が着座するものであり、既存のソファの座と同様に、座フレ−ム１ａ（図１）上に座クッションが設けられている。
【００１７】
前記肘掛け２は肘掛けフレーム２ａ（図１）の外周が肘掛けクッションで被覆されている。肘掛けフレーム２ａは図１に示すように丸パイプを方形に曲げたものであり（その一部を図１〜図３に示す）、座フレーム１ａの幅方向左右に配置されている。肘掛けフレーム２ａは木製とすることもできる。その形状は角材、板材、その他とすることができる。
【００１８】
前記背凭れ３は背凭れフレーム７の外周が被覆材で被覆され、その前面に背凭れクッション５が設けられている。
【００１９】
前記フットレスト４は足を載せるものであり、既存のソファのフットレストと同様に、フットフレームの外周がクッション材で被覆されている。
【００２０】
前記、座１、背凭れ３、フットレスト４のリクライニング機構は既存のリクライニング式ソファと同様のリクライニング構造、機構であっても、新規な構造、機構であってもよい。いずれであっても、座フレ−ム１ａに電動モータ、電動シリンダ等の駆動部が設けられ、その駆動部をリモコン等で操作するとて前記駆動部が動作して背凭れ３が図７（ａ）の起立状態から図８（ａ）、図９（ａ）のように後方に傾倒し、前記駆動部の動作により座フレームを前方にスライドさせるとフットレスト４が前方に伸び出し、座フレーム１ａを後方にスライドさせる（引き戻す）と背凭れ３が前方に起立してフットレスト４が座１の下に折畳まれるようにしてある。
【００２１】
前記押し具６は背凭れクッション５の下部（着座した人の腰の付近に当たる部分）５ａを前方に押して、背凭れクッション５を使用者の腰部付近に押し当ててその付近を支持するものであり、背凭れ３が図７（ａ）に示すように起立すると押し具６が背凭れクッション５の下部５ａを前方に押し出し、背凭れ３が図８（ａ）、図９（ａ）のように次第に後方に傾倒するにつれて背凭れクッション５の押し出しが弱まり、図８（ａ）、図９（ａ）の状態では押し具６による押し出しが解放されて背凭れクッション５が押し出されないようにしてある。
【００２２】
前記背凭れフレーム７は図１に示すように、二枚の縦材１０（図１）が上横材１１と下横材１２で連結され、両縦材１０の下端部が座フレ−ム１ａの後端部に連結治具１３により回動可能に連結されて、座フレーム１ａと背凭れフレーム７が連動するようにしてある。両縦材１０は数本の支持具１４によっても連結されている。図示した支持具１４はゴムベルトであるが、この支持具１４は背凭れクッション５（図７）を支持するものであるため、背凭れクッション５を支持できるものであれば他の物、例えば、シートとか網等であってもよいが、図１のように押し具６で背面から押されたときに多少伸びる、可撓性や伸縮性のあるものが望ましい。
【００２３】
前記押し具６は図４〜図６から明らかなように、その前面６ａが前方に突出する太鼓形（ドラム形）であり、背面６ｂがＬ字状であり、背面６ｂには板状の取付け材１６が取付けられている。背面６ｂの突出部６ｃには回転ローラ１５が取付けられている。取付け材１６の上部には支持軸１７が取付けられ、その支持軸１７が、図１〜図３のように、背凭れフレーム７の左右の縦板１０に回転可能に取付けられることにより、押し具６は両縦板１０間に吊下げられている。
【００２４】
図１の支持フレーム２０は左右の肘掛けフレーム２ａ（図１）の後部に溶接固定されたＬ字状の下ブラケット３０とＬ字状の上ブラケット３１間に設けてある。この支持フレーム２０の内面には側面形状三角形の受け具２１（図４）が取付けられている。この受け具２１はその受け面２２（図４）が上から下に向けて高くなる傾斜面である。肘掛けフレーム２ａが木製の場合、両ブラケット３０、３１は溶接ではなくネジ止めとなる。前記受け面２２の傾斜角度は任意に変えることができる。
【００２５】
図４に示す回転ローラ１５と受け具２１と背凭れフレーム７とは、前記構成とすることにより、次の関係になるようにしてある。
（１）背凭れフレーム７が図９（ａ）（ｂ）のように後方に傾倒している時は、回転ローラ１５が受け具２１の受け面２２から離れて板状の支持材１８に支持されている。このとき、受け面２２と押し具６の先端６ａとの間の距離はＬ１とする。
（２）背凭れフレーム７が図８（ａ）（ｂ）のように多少起立すると、回転ローラ１５が受け具２１の受け面２２に当たりながらその受け面２２の傾斜に沿って上方に移動する。このとき、受け面２２と押し具６の先端６ａとの間の距離はＬ２となり、Ｌ１よりも小さくなる。このとき、押し具６の先端６ａの先端がその前面に配置されている背凭れクッション５の下部５ａを押すと、下部５ａが次第に押し出される。
（３）背凭れフレーム７が図７（ａ）（ｂ）のように起立すると、回転ローラ１５が受け具２１の受け面２２に当接しながら上方に移動し、ローラ取付け治具３３と受け面２２の角度θが略９０度になると回転ローラ１５は、それ以上は上方に移動しない。背凭れフレーム７が起立するにつれて図７（ｂ）に示す受け面２２と押し具６の前面６ａとの間の距離はＬ３となりＬ２よりも小さくなる。このとき、押し具６の前面６ａの先端により、その前面６ａに配置されている背凭れクッション５の下部５ａが強く押されてその下部５ａが最も強く押し出される。
【００２６】
前記（１）〜（３）の説明は背凭れ３が傾倒した状態から起立する場合の説明であるが、起立状態から傾倒する場合には、前記（１）〜（３）の動きと逆の流れで動作する。
【００２７】
（押し具の他の例１）
押し具６には他の形状、構造のものを使用することもできる。その一例として図１１に示すものは、数本のコイルスプリング２５を同じ向きにして（軸を同じ向きに揃えて）配置してシートで包むとか束ねる等したものであり、それを図１の太鼓状の押し具６に代えて取付け材１６（図４）に取付けて使用することができる。この場合、回転ローラ１５、受け具２１は図４の場合と同様であり、背凭れが起立するとコイルスプリング２５（押し具６）による押し出しが強まり、後方に傾倒するにつれて押し出しが弱まり、最終傾倒時には押しを解放する。コイルスプリング２５は弾力性があるため、背凭れクッションに凭れかかったときの反発（押し）が軟らかくなり、背中や腰に無理な力が加わらない。
【００２８】
（押し具の他の例２）
押し具６には図１２に示すようなＳ字スプリング２６を数本並べて使用し、それを図１の太鼓状の押し具６に代えて取付け材１６（図４）に取付けて使用することができる。この場合の回転ローラ１５、受け具２１も図４の場合と同様であり、背凭れ３が起立するとＳ字プリング２６（押し具６）による押し出しが強まり、後方に傾倒するにつれて押し出しが弱まり、最終傾倒時には押しを解放する。Ｓ字スプリング２６も弾力性があるため、背凭れクッション５に凭れかかったときの反発（押し）が軟らかくなり、背中や腰に無理な力が加わらない。Ｓ字スプリング２６は向きを９０度回転させて取付け材１６（図４）に取付けることもできる。
【００２９】
図７（ａ）の座１用のクッション、背凭れクッション５、フットレスト４用のクッションは既存のソファに使用されているウレタン製のクッションとか、他の材質、例えば、低反発性のクッションや綿といった材質製のものであってもよい。
【００３０】
図示した背凭れクッション５（図７（ａ））は前面（背当て面）を３段の波形にしてあり、最下段のクッション５ｂは図１０に示すように小さな袋状にし、その中に補助パット２４（図１０）を出し入れできるようにしてある。補助パット２４にはクッション材と同じ材質のものでも異なる材質のものでも使用することができる。補助パット２４のサイズ、厚さ、収容位置（高さ）等は利用者の好みに合わせて選択することができる。補助パット２４の収容方法、収容構造、収容箇所等は図１０に示す方法以外の、構造、箇所であってもよい。
【００３１】
（押し具の作用）
前記押し具６は、リクライニング式ソファの動作（リクライニング）に伴って次のように動作する。
（１）図７（ａ）のように背凭れ３が起立している状態では、回転ローラ１５が受け具２１の受け面２２に当接して前方に押し出されて押し具６を前方に押し出し、これにより押し具６の前面に配置されている背凭れクッション５の下部５ａ（図７（ａ））を前方に押し出し、その下部５ａが使用者の腰部付近に当たって腰部付近を支持することができる。
（２）背凭れ３が図７（ａ）の起立状態から、リクライニング用の駆動部を作動させて図８（ａ）のように背凭れ３を後方に倒すと、回転ローラ１５が受け具２１の受け面２２に沿って下方に移動して、受け面２２による前方への押し出しが緩み、図８（ａ）の位置まで後方傾倒が進行すると回転ローラ１５が受け具２１の受け面２２から離れて、押し具６の前面に配置されている背凭れクッション５の下部５ａ（図８（ａ））の押しを解放する。
（３）背凭れ３が図９（ａ）のように更に後方に傾倒すると、回転ローラ１５が受け具２１の受け面２２から外れて、押し具６の前面に配置されている背凭れクッション５の下部５ａ（図９（ａ））の押しが解放されたままとなる。
【産業上の利用可能性】
【００３２】
前記実施形態では、リクライニング式のソファを一例として説明しているが、座と背凭れを備えた各種着座具、例えば、家庭、学校、オフィスなどで使用する椅子、自動車、列車、飛行機のシート、ベッド等において利用することができる。可能であればマッサージチェアにも利用することができる。
【符号の説明】
【００３３】
１      座
１ａ    座フレーム
２      肘掛け
２ａ    肘掛けフレーム
３      背凭れ
４      フットレスト
５      背凭れクッション
５ａ    （背凭れクッションの）下部
５ｂ    最下段のクッション
６      押し具
６ａ    （押し具の）前面
６ｂ    （押し具の）背面
６ｃ    （押し具の）突出部
７      背凭れフレーム
１０    縦材
１１    上横材
１２    下横材
１３    連結治具
１４    支持具
１５    回転ローラ
１６    取付け材
１７    支持軸
１８    支持材
２０    支持フレーム
２１    受け具
２２    受け面
２４    補助パット
２５    コイルスプリング
２６    Ｓ字スプリング
３０    下ブラケット
３１    上ブラケット
３３    ローラ取付け治具
【図１】
2012143357.tif 000003
【図２】
2012143357.tif 000004
【図３】
2012143357.tif 000005
【図４】
2012143357.tif 000006
【図５】
2012143357.tif 000007
【図６】
2012143357.tif 000008
【図７】
2012143357.tif 000009
【図８】
2012143357.tif 000010
【図９】
2012143357.tif 000011
【図１０】
2012143357.tif 000012
【図１１】
2012143357.tif 000013
【図１２】
2012143357.tif 000014